(57)【要約】【課題】  広角で、高変倍比で、高い光学性能を有するズームレンズを得ること。【解決手段】  本発明に係るズームレンズの複数のレンズ群は、負の屈折力の第１レンズ群Ｌ１と、正の屈折力の第２レンズ群Ｌ２と、１つ以上の負の屈折力のレンズ群を含む後群Ｌｒからなる。第１レンズ群と１つ以上の負の屈折力のレンズ群のうち最も像側に配置されたレンズ群ＬＮの間に開口絞りが配置される。このときの、レンズ群ＬＮの焦点距離、ズーミングに際してのレンズ群ＬＮの移動量、広角端におけるズームレンズの全長、望遠端におけるズームレンズの焦点距離、広角端におけるズームレンズのバックフォーカスを定めたことを特徴とする。【選択図】  図１
2019211513.tif 000002
【特許請求の範囲】
【請求項１】
複数のレンズ群を有し、ズーミングに際して隣り合うレンズ群の間隔が変化するズームレンズであって、
前記複数のレンズ群は、物体側から像側へ順に配置された、負の屈折力の第１レンズ群と、正の屈折力の第２レンズ群と、１つ以上の負の屈折力のレンズ群を含む後群からなり、
前記１つ以上の負の屈折力のレンズ群のうち、最も像側に配置されたレンズ群ＬＮと、前記第１レンズ群との間に開口絞りが配置され、
前記レンズ群ＬＮの焦点距離をｆｉ、広角端から望遠端へのズーミングにおける前記レンズ群ＬＮの移動量をＭｉ、広角端における前記ズームレンズのレンズ全長をＬｗ、広角端における前記ズームレンズの焦点距離をｆｗ、望遠端における前記ズームレンズの焦点距離をｆｔ、広角端における前記ズームレンズのバックフォーカスをＳｋｗとするとき、
−０．９０＜ｆｉ／ｆｔ＜−０．５０
６．００＜Ｌｗ／ｆｗ＜９．００
−１０．００＜Ｍｉ／Ｓｋｗ＜−２．００
なる条件式を満たすことを特徴とするズームレンズ。
【請求項２】
前記第１レンズ群の焦点距離をｆ１とし、前記第２レンズ群の焦点距離をｆ２とするとき、
−２０．００＜ｆ２／ｆ１＜−１．１０
なる条件式を満たすことを特徴とする請求項１に記載のズームレンズ。
【請求項３】
望遠端における前記ズームレンズのレンズ全長をＬｔとするとき、
１．３０＜Ｌｗ／Ｌｔ＜１．８０
なる条件式を満たすことを特徴とする請求項１または２に記載のズームレンズ。
【請求項４】
前記第１レンズ群の焦点距離をｆ１とするとき、
−１．４０＜ｆ１／ｆｔ＜−０．１０
なる条件式を満たすことを特徴とする請求項１乃至３のいずれか１項のズームレンズ。
【請求項５】
前記第１レンズ群は、最も物体側に配置された第１負レンズと、該第１負レンズの像側に隣接して配置された第２負レンズを有することを特徴とする請求項１乃至４のいずれか１項に記載のズームレンズ。
【請求項６】
前記第１レンズ群は、物体側および像側の面のうち少なくとも１つの面が非球面である非球面レンズを２枚以上有することを特徴とする請求項１乃至５のいずれか１項のズームレンズ。
【請求項７】
前記ズームレンズを構成するレンズのうち、最も像側に配置されたレンズは正レンズであることを特徴とする請求項１乃至６のいずれか１項に記載のズームレンズ。
【請求項８】
無限遠から近距離物体へのフォーカシングに際して、前記第２レンズ群または前記第２レンズ群の一部が像側へ移動することを特徴とする請求項１乃至７のいずれか１項に記載のズームレンズ。
【請求項９】
フォーカシングに際して移動するフォーカス群は、３枚以下のレンズからなることを特徴とする請求項８に記載のズームレンズ。
【請求項１０】
前記開口絞りよりも像側にフレアーカット絞りを有し、該フレアーカット絞りは、２つのレンズ群の間に配置され、ズーミングに際して前記２つのレンズ群のそれぞれとは異なる軌跡で光軸上を移動することを特徴とする請求項１乃至８のいずれか１項に記載のズームレンズ。
【請求項１１】
前記後群は、負の屈折力の第３レンズ群からなることを特徴とする請求項１乃至１０のいずれか１項に記載のズームレンズ。
【請求項１２】
前記後群は、負の屈折力の第３レンズ群と、正の屈折力の第４レンズ群からなることを特徴とする請求項１乃至１０のいずれか１項に記載のズームレンズ。
【請求項１３】
前記後群は、正の屈折力の第３レンズ群と、負の屈折力の第４レンズ群と、正の屈折力の第５レンズ群と、負の屈折力の第６レンズ群からなることを特徴とする請求項１乃至１０のいずれか１項に記載のズームレンズ。
【請求項１４】
請求項１乃至１３のいずれか１項に記載のズームレンズと、該ズームレンズによって形成された像を受光する撮像素子とを有することを特徴とする撮像装置。
【発明の詳細な説明】
【技術分野】
【０００１】
本発明は、ズームレンズ及び撮像装置に関する。
【背景技術】
【０００２】
広画角撮影が可能で、高変倍比で、高い光学性能を有するズームレンズが要望されている。一般に、広画角撮影に適したズームレンズとして、最も物体側に負の屈折力のレンズ群を配置した、所謂ネガティブリード型のズームレンズが知られている。
【０００３】
特許文献１は、画角１００°以上での撮影が可能であり、物体側より像側へ順に配置された、負、正、正、負、正の屈折力を有する第１〜第５レンズ群からなるズームレンズを開示している。
【先行技術文献】
【特許文献】
【０００４】
【特許文献１】特開２００５−１５７０９７号公報
【発明の概要】
【発明が解決しようとする課題】
【０００５】
特許文献１に記載のズームレンズにおける変倍比（ズーム比）は２．２倍程度である。このズームレンズをさらに高変倍比化する場合、絞りより像側に配置される正の屈折力のレンズ群の屈折力を強めることで可能となるが、第１レンズ群内で発生する歪曲収差や倍率色収差が増大しやすくなる。
【０００６】
本発明は、広角で、高変倍比で、高い光学性能を有するズームレンズを提供することを目的とする。
【課題を解決するための手段】
【０００７】
本発明の一実施例に係るズームレンズは、複数のレンズ群を有し、ズーミングに際して隣り合うレンズ群の間隔が変化するズームレンズであって、前記複数のレンズ群は、物体側から像側へ順に配置された、負の屈折力の第１レンズ群と、正の屈折力の第２レンズ群と、１つ以上の負の屈折力のレンズ群を含む後群からなり、前記１つ以上の負の屈折力のレンズ群のうち、最も像側に配置されたレンズ群ＬＮと、前記第１レンズ群との間に開口絞りが配置され、前記レンズ群ＬＮの焦点距離をｆｉ、広角端から望遠端へのズーミングにおける前記レンズ群ＬＮの移動量をＭｉ、広角端における前記ズームレンズのレンズ全長をＬｗ、広角端における前記ズームレンズの焦点距離をｆｗ、望遠端における前記ズームレンズの焦点距離をｆｔ、広角端における前記ズームレンズのバックフォーカスをＳｋｗとするとき、
−０．９０＜ｆｉ／ｆｔ＜−０．５０
６．００＜Ｌｗ／ｆｗ＜９．００
−１０．００＜Ｍｉ／Ｓｋｗ＜−２．００
なる条件式を満たすことを特徴とする。
【発明の効果】
【０００８】
本発明のズームレンズは、広角で、高変倍比で、高い光学性能を得ることができる。
【図面の簡単な説明】
【０００９】
【図１】実施例１のズームレンズの断面図である。
【図２】実施例１のズームレンズの無限遠合焦時の収差図である。
【図３】実施例２のズームレンズの断面図である。
【図４】実施例２のズームレンズの無限遠合焦時の収差図である。
【図５】実施例３のズームレンズの断面図である。
【図６】実施例３のズームレンズの無限遠合焦時の収差図である。
【図７】実施例４のズームレンズの断面図である。
【図８】実施例４のズームレンズの無限遠合焦時の収差図である。
【図９】実施例５のズームレンズの断面図である。
【図１０】実施例５のズームレンズの無限遠合焦時の収差図である。
【図１１】実施例の撮像装置の構成を示す図である。
【発明を実施するための形態】
【００１０】
以下、本発明の実施例に係るズームレンズ及び撮像装置について、添付の図面に基づいて詳細に説明する。
【００１１】
なお、本明細書において、「バックフォーカス」は、レンズ最終面（最も像側のレンズ面）から近軸像面までの光軸上の距離を空気換算長により表記したものとする。「レンズ全長」は、ズームレンズの最前面（最も物体側のレンズ面）から最終面までの光軸上の距離にバックフォーカスを加えた長さである。「レンズ群」は、複数のレンズから構成される場合に限らず、１枚のレンズから構成される場合も含むものとする。
【００１２】
ある材料のアッベ数νｄは、フラウンホーファ線のｄ線（５８７．６ｎｍ）、Ｆ線（４８６．１ｎｍ）、Ｃ線（６５６．３ｎｍ）、ｇ線（波長４３５．８ｎｍ）における屈折率をＮｄ、ＮＦ、ＮＣ、Ｎｇとするとき、
νｄ＝（Ｎｄ−１）／（ＮＦ−ＮＣ）
で表される。
【００１３】
各実施例のズームレンズは、デジタルビデオカメラ、デジタルカメラ、銀塩フィルムカメラ、テレビカメラ等の撮像装置に用いられる撮影光学系である。図１、３、５、７、９に示すズームレンズの断面図において、左方が物体側（前方）であり、右方が像側（後方）である。また各断面図において、ｉを物体側から像側へのレンズ群の順番とすると、Ｌｉは第ｉレンズ群を示す。また、開口絞りＳＰは、開放Ｆナンバー（Ｆｎｏ）の光束を決定（制限）する。ＦＰはフレアーカット絞りであり、不要光をカットしている。
【００１４】
無限遠から近距離物体へのフォーカシングに際して、フォーカスレンズ群は、図中の破線矢印に示すように光軸に沿って移動する。広角端から望遠端へのズーミングに際して、各レンズ群は、図中の実線矢印に示すように光軸に沿って移動し、ズーミングに際して隣り合うレンズ群の間隔が変化する。ただし、広角端はズームレンズの焦点距離が最も短くなる状態を示し、望遠端はズームレンズの焦点距離が最も長くなる状態を示す。
【００１５】
撮像装置に各実施例のズームレンズを使用する場合は、像面ＩＰは、ＣＣＤセンサまたはＣＭＯＳセンサ等の撮像素子（光電変換素子）に相当する。銀塩フィルムカメラに各実施例の光学系を使用する場合は、像面ＩＰはフィルム面に相当する。
【００１６】
図２、４、６、８、１０は、後述の各実施例のズームレンズの収差図である。球面収差図において、実線はｄ線（波長５８７．６ｎｍ）、二点鎖線はｇ線（波長４３５．８ｎｍ）を示している。非点収差図において破線Ｍはメリディオナル像面、実線Ｓはサジタル像面である。歪曲収差はｄ線について示している。倍率色収差はｇ線について示している。ωは半画角（度）、ＦｎｏはＦナンバーである。
【００１７】
本発明の各実施例に係るズームレンズは、ズーミングに際して隣り合うレンズ群の間隔が変化する複数のレンズ群を有する。そして、当該複数のレンズ群は、物体側から像側へ順に配置された、負の屈折力の第１レンズ群と、正の屈折力の第２レンズ群と、１つ以上の負の屈折力のレンズ群を含む後群からなる。
【００１８】
後群に含まれる１つ以上の負の屈折力のレンズ群のうち、最も像側に配置された負の屈折力のレンズ群をレンズ群ＬＮとする。このとき、第１レンズ群とレンズ群ＬＮとの間に、開口絞りが配置されている。開口絞りに対して、第１レンズ群とレンズ群ＬＮを略対称的に配置することによって、第１レンズ群で生じる歪曲収差や倍率色収差を低減している。
【００１９】
また、ズームレンズの広角端において上記対称性を維持するため、広角端においてレンズ群ＬＮは比較的像側に配置される。そして、広角端から望遠端へのズーミングに際して、レンズ群ＬＮの移動量が比較的大きくなるように構成している。これにより、開口絞りと変倍を担うレンズ群が物体側に移動した場合であっても、第１レンズ群とレンズ群ＬＮとの対称性を保ち、ズーミングに伴う収差変動を低減している。
【００２０】
これらの要件を適切に定めたのが、以下の条件式（１）、（２）、（３）である。
−０．９０＜ｆｉ／ｆｔ＜−０．５０                      ・・・（１）
６．００＜Ｌｗ／ｆｗ＜９．００                          ・・・（２）
−１０．００＜Ｍｉ／Ｓｋｗ＜−２．００                  ・・・（３）
【００２１】
ここで、レンズ群ＬＮの焦点距離をｆｉ、広角端から望遠端へのズーミングにおけるレンズ群ＬＮの移動量をＭｉとする。なお、移動量の符号は、広角端よりも望遠端において像側に位置するときを正、物体側に位置するときを負とする。広角端におけるズームレンズのレンズ全長をＬｗ、広角端におけるズームレンズの焦点距離をｆｗ、望遠端におけるズームレンズの焦点距離をｆｔ、広角端におけるズームレンズのバックフォーカスをＳｋｗとする。
【００２２】
条件式（１）は、レンズ群ＬＮの焦点距離と望遠端におけるズームレンズの焦点距離の比を規定している。条件式（１）の下限値を下回って、レンズ群ＬＮの焦点距離の絶対値が大きくなりレンズ群ＬＮの屈折力が弱くなると、第１レンズ群で発生した歪曲収差や倍率色収差を補正することが困難となるため好ましくない。条件式（１）の上限値を上回って、レンズ群ＬＮの焦点距離の絶対値が小さくなりレンズ群ＬＮの屈折力が強くなると、第１レンズ群で発生した歪曲収差や倍率色収差の補正が過補正となるので好ましくない。また、像面に対する軸外光束の最大入射角が大きくなることにより、シェーディングが発生しやすくなるため好ましくない。
【００２３】
条件式（２）は広角端におけるズームレンズのレンズ全長と広角端におけるズームレンズの焦点距離を規定している。条件式（２）の下限値を下回ってレンズ全長が短くなると、第１レンズ群とレンズ群ＬＮの距離が近くなる。これにより、第１レンズ群で発生した歪曲収差や倍率色収差を補正することが困難になるため好ましくない。条件式（２）の上限値を上回ってレンズ全長が長くなると、前玉の径が大きくなるため好ましくない。
【００２４】
条件式（３）は、レンズ群ＬＮの移動量と広角端におけるバックフォーカスの比を規定している。条件式（３）の下限値を下回ってレンズ群ＬＮの移動量の絶対値が大きくなると、望遠端において開口絞りとレンズ群ＬＮとが近づきすぎて、開口絞りに対して第１レンズ群とレンズ群ＬＮを略対称的に配置することが困難となる。これにより、第１レンズ群で生じた歪曲収差や倍率色収差を補正することが困難となるため好ましくない。また、レンズ群ＬＮの移動量が大きい場合、開口絞りを像面から離して配置することとなり、開口絞りにおける絞り径が増大する。これにより、ズームレンズの径が大きくなるため好ましくない。条件式（３）の上限値を上回ってレンズ群ＬＮの移動量が小さくなると、ズーミングに際しての生じる収差変動を補正することが困難になるため好ましくない。
【００２５】
上記構成および条件式を満たすことにより、広角で、高変倍比で、高い光学性能を有するズームレンズを得ることができる。
【００２６】
条件式（１）、（２）、（３）の数値範囲を以下のようにすることが好ましい。
−０．８５＜ｆｉ／ｆｔ＜−０．５５                      ・・・（１ａ）
６．４０＜Ｌｗ／ｆｗ＜８．５０                          ・・・（２ａ）
−９．００＜Ｍｉ／Ｓｋｗ＜−２．４０                    ・・・（３ａ）
【００２７】
さらに、条件式（１）、（２）、（３）の数値範囲を以下のようにすることが好ましい。
−０．８０＜ｆｉ／ｆｔ＜−０．６０                      ・・・（１ｂ）
６．７０＜Ｌｗ／ｆｗ＜８．３０                          ・・・（２ｂ）
−４．５０＜Ｍｉ／Ｓｋｗ＜−２．８０                    ・・・（３ｂ）
【００２８】
さらに、ズームレンズが、以下の条件式のうち１以上を満足することが好ましい。
−２０．００＜ｆ２／ｆ１＜−１．０５                    ・・・（４）
１．３０＜Ｌｗ／Ｌｔ＜１．８０                          ・・・（５）
−１．４０＜ｆ１／ｆｔ＜−０．１０                      ・・・（６）
【００２９】
条件式（４）、（５）、（６）の数値範囲を以下のようにすることが好ましい。
−１０．００＜ｆ２／ｆ１＜−１．１０                    ・・・（４ａ）
１．４０＜Ｌｗ／Ｌｔ＜１．７０                          ・・・（５ａ）
−１．３０＜ｆ１／ｆｔ＜−０．２０                      ・・・（６ａ）
【００３０】
さらに、条件式（４）、（５）、（６）の数値範囲を以下のようにすることが好ましい。
−６．００＜ｆ２／ｆ１＜−３．５０                      ・・・（４ｂ）
１．３８＜Ｌｗ／Ｌｔ＜１．６０                          ・・・（５ｂ）
−０．３８＜ｆ１／ｆｔ＜−０．２５                      ・・・（６ｂ）
【００３１】
第１レンズ群の焦点距離をｆ１、第２レンズ群の焦点距離をｆ２とし、望遠端におけるズームレンズのレンズ全長をＬｔとする。
【００３２】
条件式（４）は、第１レンズ群と第２レンズ群の焦点距離の比を規定しており、第１レンズ群のほうが第２レンズ群よりも屈折力が大きいことを示している。これにより、広角端の短焦点化を図っている。条件式（４）の下限値を下回って第２レンズ群の焦点距離の絶対値が大きくなり、第２レンズ群の屈折力が弱くなると、第１レンズ群で発散した軸上光束を第２レンズ群で十分に収斂することができず、開口絞りにおける絞り径が大きくなってしまう。これにより、第２レンズ群より像側のレンズの外径が大きくなり、ズームレンズが大型化するため好ましくない。条件式（４）の上値を上回って第２レンズ群の焦点距離の絶対値が小さくなり第２レンズ群の屈折力が強くなると、フォーカシングに伴う収差変動が大きくなり、比較的軽量な第２レンズ群でフォーカシングを行うことが困難となるため好ましくない。
【００３３】
条件式（５）は、広角端におけるズームレンズのレンズ全長と望遠端におけるズームレンズのレンズ全長の比を規定している。条件式（５）の下限値を下回ってレンズ全長の変化量が小さくなると、第１レンズ群で生じる歪曲収差や倍率色収差の変化量よりもレンズ群ＬＮによる歪曲収差や倍率色収差の補正量の変化量が少なくなる。これにより、広角端から望遠端へのズーミングに際しての収差変動が大きくなるため好ましくない。条件式（５）の上限値を上回ってレンズ全長の変化量が大きくなると、ズーミングに際してレンズを物体側に繰り出すために必要なカムを配置することが困難となるため好ましくない。カムを短くするために鏡筒を２重構造にした場合、ズームレンズの外径が大きくなり、各レンズ群同士の偏芯精度が低下しやすくなるため好ましくない。
【００３４】
条件式（６）は、第１レンズ群の焦点距離と望遠端におけるズームレンズの焦点距離の比を規定している。条件式（６）の下限値を下回って第１レンズ群の焦点距離の絶対値が大きくなり、第１レンズ群の屈折力が弱くなると、広角端におけるズームレンズの焦点距離を短くすることが困難となるため好ましくない。条件式（６）の上限値を上回って第１レンズ群の焦点距離の絶対値が小さくなり、第１レンズ群の屈折力が強くなった場合、歪曲収差や倍率色収差を十分に低減するためには第１レンズ群に多くのレンズを配置することが必要となる。これにより前玉径の大型化やゴーストの悪化が生じるため好ましくない。
【００３５】
上記条件式の少なくとも１つを満たすことで、実施例に係るズームレンズは、広角化、高変倍比化、高光学性能化のうち、少なくともいずれかの効果をさらに得ることができる。
【００３６】
さらに、実施例に係るズームレンズの好ましい構成について説明する。
【００３７】
第１レンズ群は、最も物体側に配置された第１負レンズと該第１負レンズの像側に隣接して配置された第２負レンズを有することが好ましい。このように第１レンズ群の強い負の屈折力を複数枚の負レンズで分担することによって、像面湾曲の発生を抑制している。さらに、第１レンズ群内に、物体側および像側の面のうち少なくとも１つの面が非球面である非球面レンズを２枚以上有することが好ましい。光線の通過高さの異なる面に非球面を配置することで、歪曲収差および像面湾曲の補正を両立することができる。
【００３８】
広角端から望遠端へのズーミングに際して、第２レンズ群および後群を物体側に移動させることにより、高い変倍比を実現している。
【００３９】
無限遠から近距離物体へのフォーカシングに際して、第２レンズ群または第２レンズ群の一部が像側へ移動することが好ましい。また、フォーカシングに際して移動するフォーカス群は、３枚以下のレンズで構成されることが好ましい。構成枚数の少ないレンズ群をフォーカシングに際して移動させることにより、迅速なフォーカシングを行うことができる。また、第２レンズ群が、正レンズと負レンズを含むことが好ましい。これにより、フォーカシングに際しての収差変動を抑制することができる。
【００４０】
開口絞りの像側に、光束のフレア成分をカットするフレアーカット絞りが配置されている。フレアーカット絞りは、２つのレンズ群の間に配置され、ズーミングに際して該２つのレンズ群のそれぞれとは異なる軌跡で光軸上を移動することが好ましい。これにより、フレア成分をカットするとともに、ズーミングに際して生じるＦナンバーの変動を低減することができる。
【００４１】
ズームレンズに含まれるレンズのうち、最も像側のレンズが正レンズであることが好ましい。これにより、像面に対する最大入射角を低減することができ、シェーディングの発生を抑制することができる。さらに、第１レンズ群で発生した歪曲収差や倍率色収差を補正しやすくなる。
【００４２】
次に、本発明の実施例に係るズームレンズについて説明する。
【００４３】
［実施例１］
図１は実施例１のズームレンズの広角端における断面図である。図２（ａ）は広角端において無限遠に合焦時のズームレンズの収差図であり、図２（ｂ）は中間位置において無限遠に合焦時のズームレンズの収差図であり、図２（ｃ）は広角端において無限遠に合焦時のズームレンズの収差図である。
【００４４】
実施例１に係るズームレンズは、ズーミングに際して隣り合うレンズ群の間隔が変化する複数のレンズ群を有する。当該複数のレンズ群は、物体側から像側へ順に配置された、負の屈折力の第１レンズ群Ｌ１、正の屈折力の第２レンズ群Ｌ２、正の屈折力の第３レンズ群Ｌ３、負の屈折力の第４レンズ群Ｌ４、正の屈折力の第５レンズ群Ｌ５、負の屈折力の第６レンズ群Ｌ６からなる。
【００４５】
本実施例において、後群Ｌｒは、第３レンズ群Ｌ３、第４レンズ群Ｌ４、第５レンズ群Ｌ５、第６レンズ群Ｌ６からなる。最も像側に配置された負の屈折力のレンズ群は、第６レンズ群Ｌ６である。ズームレンズは、第４レンズ群Ｌ４の最も像側に配置された開口絞りＳＰと、第４レンズ群Ｌ４と第５レンズ群Ｌ５との間に配置されたフレアーカット絞りＦＳを含む。またフレアーカット絞りＦＳは、ズーミングに際して、第４レンズ群Ｌ４および第５レンズ群Ｌ５とは異なる軌跡で光軸上を移動する。
【００４６】
広角端から望遠端へのズーミングに際し、第１レンズ群Ｌ１は像側へ移動した後物体側へ移動し、第２レンズ群Ｌ２〜第６レンズ群Ｌ６は物体側へ移動する。
【００４７】
無限遠から近距離物体へのフォーカシングに際して、第２レンズ群Ｌ２が像側に移動する。第２レンズ群は、２枚の正レンズと１枚の負レンズからなる。
【００４８】
これらの構成により、広角で、高変倍比で、高い光学性能を有するズームレンズを得ることができる。
【００４９】
［実施例２］
図３は実施例２のズームレンズの広角端における断面図である。図４（ａ）は広角端において無限遠に合焦時のズームレンズの収差図であり、図４（ｂ）は中間位置において無限遠に合焦時のズームレンズの収差図であり、図４（ｃ）は広角端において無限遠に合焦時のズームレンズの収差図である。
【００５０】
実施例２に係るズームレンズのレンズ構成は、曲率半径、屈折率等の各レンズの特性が異なる他は、実施例１に係るズームレンズと同様のレンズ群の構成を有するため詳細な説明を省略する。実施例２に係るズームレンズは、実施例１と同様の効果を有する。
【００５１】
［実施例３］
図５は実施例３のズームレンズの広角端における断面図である。図６（ａ）は広角端において無限遠に合焦時のズームレンズの収差図であり、図６（ｂ）は中間位置において無限遠に合焦時のズームレンズの収差図であり、図６（ｃ）は広角端において無限遠に合焦時のズームレンズの収差図である。
【００５２】
実施例３に係るズームレンズのレンズ構成は、曲率半径、屈折率等の各レンズの特性と、フォーカシングに際して移動する第２レンズ群Ｌ２の構成の他は、実施例１に係るズームレンズとほぼ同様のレンズ群の構成を有するため詳細な説明を省略する。第２レンズ群Ｌ２は１枚の負レンズと１枚の正レンズからなる。実施例２に係るズームレンズは、実施例１と同様の効果を有する。
【００５３】
［実施例４］
図７は実施例４のズームレンズの広角端における断面図である。図８（ａ）は広角端において無限遠に合焦時のズームレンズの収差図であり、図８（ｂ）は中間位置において無限遠に合焦時のズームレンズの収差図であり、図８（ｃ）は広角端において無限遠に合焦時のズームレンズの収差図である。
【００５４】
実施例４に係るズームレンズは、ズーミングに際して隣り合うレンズ群の間隔が変化する複数のレンズ群を有する。当該複数のレンズ群は、物体側から像側へ順に配置された、負の屈折力の第１レンズ群Ｌ１、正の屈折力の第２レンズ群Ｌ２、負の屈折力の第３レンズ群Ｌ３からなる。
【００５５】
本実施例において、後群Ｌｒは第３レンズ群Ｌ３からなり、最も像側に配置された負の屈折力のレンズ群は第３レンズ群Ｌ３である。ズームレンズは、第３レンズ群Ｌ３に配置された開口絞りＳＰと、第３レンズ群Ｌ３において開口絞りＳＰよりも像側に配置されたフレアーカット絞りＦＳを含む。
【００５６】
第２レンズ群Ｌ２は、無限遠から近距離物体へのフォーカシングに際して光軸に沿って像側に移動する部分群Ｌ２ａと、フォーカシングに際して不動の部分群Ｌ２ｂを含む。部分群Ｌ２ａは、２枚の正レンズと１枚の負レンズからなる。
【００５７】
これらの構成により、広角で、高変倍比で、高い光学性能を有するズームレンズを得ることができる。
【００５８】
［実施例５］
図９は実施例５のズームレンズの広角端における断面図である。図９（ａ）は広角端において無限遠に合焦時のズームレンズの収差図であり、図９（ｂ）は中間位置において無限遠に合焦時のズームレンズの収差図であり、図９（ｃ）は広角端において無限遠に合焦時のズームレンズの収差図である。
【００５９】
実施例５に係るズームレンズは、ズーミングに際して隣り合うレンズ群の間隔が変化する複数のレンズ群を有する。当該複数のレンズ群は、物体側から像側へ順に配置された、負の屈折力の第１レンズ群Ｌ１、正の屈折力の第２レンズ群Ｌ２、負の屈折力の第３レンズ群Ｌ３、正の屈折力の第４レンズ群Ｌ４からなる。
【００６０】
本実施例において、後群Ｌｒは第３レンズ群Ｌ３および第４レンズ群Ｌ４からなる。また、最も像側に配置された負の屈折力のレンズ群は、第３レンズ群Ｌ３である。
【００６１】
広角端から望遠端へのズーミングに際し、第１レンズ群Ｌ１は像側へ移動した後物体側へ移動し、第２レンズ群Ｌ２および第３レンズ群Ｌ３が物体側に移動し、第４レンズ群Ｌ４は不動である。
【００６２】
第２レンズ群Ｌ２は、無限遠から近距離物体へのフォーカシングに際して光軸に沿って像側に移動する部分群Ｌ２ａと、フォーカシングに際して不動の部分群Ｌ２ｂを含む。部分群Ｌ２ａは、２枚の正レンズと１枚の負レンズからなる。
【００６３】
これらの構成により、広角で、高変倍比で、高い光学性能を有するズームレンズを得ることができる。
【００６４】
以上、本発明の好ましいズームレンズの実施例について説明したが、本発明のズームレ
ンズこれらの実施例に限定されず、その要旨の範囲内で種々の変形及び変更が可能である。
【００６５】
例えば、第２レンズ群Ｌ２や第２レンズ群Ｌ２の一部を光軸上で移動させることでフォーカシングを行うのではなく、第１レンズ群Ｌ１や第１レンズ群Ｌ１の一部を光軸上で移動させることによりフォーカシングを行ってもよい。
【００６６】
［数値実施例］
以下に、実施例１〜５のそれぞれに対応する数値実施例１〜５を示す。また、数値実施例１〜５において、面番号は、物体側からの光学面の順序を示す。ｒは光学面の曲率半径（ｍｍ）、面番号ｉにおけるｄは、第ｉ番目の光学面と第ｉ＋１番目の光学面の間隔（ｍｍ）、ｎｄはｄ線における光学部材の材料の屈折率、νｄはｄ線を基準とした光学部材の材料のアッベ数であり、定義は前述のとおりである。ＢＦはバックフォーカスを示す。
【００６７】
また、光学面が非球面の場合は、面番号の右側に、＊の符号を付している。非球面形状は、ｘを光軸方向の面頂点からの変位量、ｈを光軸と垂直な方向の光軸からの高さ、Ｒを近軸曲率半径、ｋを円錐定数、Ａ４、Ａ６、Ａ８、Ａ１０、Ａ１２を各次数の非球面係数とするとき、
ｘ＝（ｈ２／Ｒ）／［１＋｛１−（１＋ｋ）（ｈ／Ｒ）２｝１／２  ＋Ａ４×ｈ４＋Ａ６×ｈ６＋Ａ８×ｈ８＋Ａ１０×ｈ１０＋Ａ１２×ｈ１２
で表している。なお、各非球面係数における「ｅ±ＸＸ」は「×１０±ＸＸ」を意味している。数値実施例１〜５のそれぞれにおける、前述の各条件式に対応する値を［表１］に示す。
【００６８】
［数値実施例１］
単位 mm
面データ
面番号       r        d      nd         vd
1*       176.098    2.50   1.85400    40.4
2*        21.017   14.00
3*       -72.107    2.00   1.59522    67.7
4         50.481    0.61
5         60.785    4.00   1.85478    24.8
6       6114.033  (可変)
7*        25.708    3.70   1.76385    48.5
8      -1043.504    0.20
9         58.039    1.00   1.85478    24.8
10         18.177    2.10   1.56732    42.8
11         24.944  (可変)
12         28.752    4.45   1.76385    48.5
13        -95.681  (可変)
14        -58.493    0.80   1.88300    40.8
15         33.626    0.68
16         34.406    2.30   1.89286    20.4
17        137.540    1.00
18(絞り)    ∞     (可変)
19          ∞     (可変)
20         32.361    4.75   1.43875    94.9
21        -36.636    0.20
22         41.794    5.10   1.51742    52.4
23        -22.463    1.10   1.83400    37.2
24       -719.152  (可変)
25        -79.075    2.77   1.49700    81.5
26        -19.819    1.35   1.91082    35.3
27         16.884    4.87   1.58313    59.4
28*       299.719    4.78
29         87.686    4.74   1.80518    25.4
30        -73.464  (可変)
像面        ∞
非球面データ
第1面
K = 0.00000e+000  A 4= 1.81176e-005  A 6=-3.55029e-008  A 8= 2.95484e-011  A10=-9.56065e-015  A12= 1.94598e-018
第2面
K = 0.00000e+000  A 4= 1.28680e-005  A 6= 6.31262e-009  A 8=-1.01994e-010  A10=-9.04564e-014
第3面
K = 0.00000e+000  A 4=-1.44279e-006  A 6= 1.51279e-008  A 8=-3.09273e-011  A10=-9.66454e-016
第7面
K = 0.00000e+000  A 4=-4.39514e-006  A 6=-4.54286e-009  A 8=-5.51719e-012  A10=-1.03216e-014
第28面
K = 0.00000e+000  A 4= 6.27796e-006  A 6=-2.80249e-008  A 8= 7.77700e-011  A10=-2.10301e-012
各種データ
ズーム比      3.95
広角     中間     望遠
焦点距離      17.40    35.02    68.69
Fナンバー      3.57     4.18     5.85
半画角（度）  51.19    31.71    17.48
像高          21.64    21.64    21.64
レンズ全長   149.59   133.68   150.50
BF            13.43    27.63    57.99
d 6           47.80    13.39     1.00
d11            1.95     3.74     3.78
d13            2.50     1.16     3.58
d18            7.59     8.78     0.89
d19            6.52     0.67     1.80
d24            0.80     9.30    12.46
d30           13.43    27.63    57.99
ズームレンズ群データ
群  始面    焦点距離
1    1     -22.75
2    7      99.77
3   12      29.40
4   14     -46.50
5   19       ∞
6   20      38.38
7   25     -49.61
【００６９】
［数値実施例２］
単位 mm
面データ
面番号       r        d      nd         vd
1*        76.426    2.50   1.85400    40.4
2*        19.512   15.95
3*       -72.107    2.00   1.59522    67.7
4         38.735    0.03
5         39.127    4.10   1.85478    24.8
6        117.967  (可変)
7*        28.465    3.50   1.76385    48.5
8       -718.649    0.20
9         55.534    1.00   1.85478    24.8
10         19.642    2.25   1.54814    45.8
11         28.651  (可変)
12         30.845    4.80   1.76385    48.5
13        -76.415  (可変)
14        -57.590    0.80   1.88300    40.8
15         42.722    0.23
16         38.642    1.90   1.89286    20.4
17         94.679    1.00
18(絞り)    ∞     (可変)
19          ∞     (可変)
20         46.943    4.00   1.43875    94.9
21        -42.812    0.20
22         37.565    5.90   1.51742    52.4
23        -23.647    1.10   1.83400    37.2
24       -104.873  (可変)
25        -47.733    1.20   1.49700    81.5
26        -32.631    1.35   1.91082    35.3
27         14.927    7.50   1.58313    59.4
28*        95.899    4.00
29         72.919    5.20   1.80000    29.8
30        -80.370  (可変)
像面        ∞
非球面データ
第1面
K = 0.00000e+000  A 4= 1.33943e-005  A 6=-4.72091e-009  A 8=-4.02848e-011  A10= 5.03031e-014  A12=-1.18947e-017
第2面
K = 0.00000e+000  A 4= 1.03995e-005  A 6= 8.14345e-009  A 8= 1.08994e-010  A10=-7.49033e-013
第3面
K = 0.00000e+000  A 4=-1.44279e-006  A 6= 1.51279e-008  A 8=-3.09273e-011  A10=-9.66454e-016
第7面
K = 0.00000e+000  A 4=-4.24524e-006  A 6=-5.31225e-009  A 8= 2.79093e-011  A10=-1.02283e-013
第28面
K = 0.00000e+000  A 4=-6.28270e-007  A 6= 1.40126e-008  A 8=-4.10340e-010  A10=-7.55276e-014
各種データ
ズーム比      4.25
広角     中間     望遠
焦点距離      17.10    34.82    72.70
Fナンバー      3.57     4.18     5.85
半画角（度）  51.68    31.85    16.57
像高          21.64    21.64    21.64
レンズ全長   151.00   135.57   157.71
BF            13.13    27.81    63.49
d 6           47.80    13.39     1.00
d11            1.95     3.74     3.78
d13            2.50     1.16     3.58
d18            7.59     8.78     0.89
d19            6.52     0.67     1.80
d24            0.80     9.30    12.46
d30           13.13    27.81    63.49
ズームレンズ群データ
群  始面    焦点距離
1    1     -21.75
2    7      89.29
3   12      29.34
4   14     -44.69
5   19       ∞
6   20      35.71
7   25     -45.99
【００７０】
［数値実施例３］
単位 mm
面データ
面番号       r        d      nd         vd
1*       230.682    2.50   1.85400    40.4
2*        24.401   11.80
3*       -72.107    2.00   1.59522    67.7
4         45.973    4.00   1.85478    24.8
5        192.131  (可変)
6*        27.898    3.50   1.76385    48.5
7       -335.048    0.20
8         61.408    1.00   1.85478    24.8
9         23.916  (可変)
10         30.462    4.60   1.76385    48.5
11        -72.118  (可変)
12        -46.657    0.80   1.88300    40.8
13         51.687    0.20
14         37.353    1.60   1.89286    20.4
15         67.159    1.00
16(絞り)    ∞     (可変)
17          ∞     (可変)
18        197.291    3.50   1.43875    94.9
19        -28.908    0.20
20         23.789    6.15   1.51742    52.4
21        -27.262    1.10   1.83400    37.2
22       2568.752  (可変)
23        -89.143    2.00   1.43875    94.9
24        -34.840    1.30   1.91082    35.3
25         14.554    6.50   1.58313    59.4
26*       136.719    6.00
27         72.885    4.20   1.84666    23.8
28       -138.921  (可変)
像面        ∞
非球面データ
第1面
K = 0.00000e+000  A 4= 3.36705e-005  A 6=-9.88738e-008  A 8= 1.37417e-010  A10=-7.95697e-014  A12= 1.23226e-017
第2面
K = 0.00000e+000  A 4= 3.42341e-005  A 6=-1.43410e-008  A 8=-3.35257e-010  A10= 6.86187e-013
第3面
K = 0.00000e+000  A 4=-1.44279e-006  A 6= 1.51279e-008  A 8=-3.09273e-011  A10=-9.66454e-016
第6面
K = 0.00000e+000  A 4=-3.89468e-006  A 6=-2.38732e-009  A 8=-8.63331e-013  A10=-7.43066e-014
第26面
K = 0.00000e+000  A 4= 7.75371e-006  A 6=-5.99874e-008  A 8= 3.19953e-010  A10=-3.66968e-012
各種データ
ズーム比      4.14
広角     中間     望遠
焦点距離      18.70    37.55    77.50
Fナンバー      3.57     4.18     5.85
半画角（度）  49.16    29.95    15.60
像高          21.64    21.64    21.64
レンズ全長   146.50   128.90   147.50
BF            15.19    27.72    59.84
d 5           47.80    13.39     1.00
d 9            1.95     3.74     3.78
d11            2.50     1.16     3.58
d16            7.59     8.78     0.89
d17            6.52     0.67     1.80
d22            0.80     9.30    12.46
d28           15.19    27.72    59.84
ズームレンズ群データ
群  始面    焦点距離
1    1     -24.39
2    6     101.52
3   10      28.59
4   12     -39.20
5   18      34.56
6   23     -49.61
【００７１】
［数値実施例４]
単位 mm
面データ
面番号       r        d      nd         vd
1*       156.704    2.50   1.85400    40.4
2*        21.086   14.06
3*       -72.107    1.80   1.59522    67.7
4         45.041    1.23
5         67.111    4.00   1.85478    24.8
6       -257.893  (可変)
7*        25.548    3.70   1.76385    48.5
8        251.671    0.20
9         59.143    1.00   1.85478    24.8
10         28.563    2.10   1.56732    42.8
11         22.162    1.95
12         25.172    4.45   1.76385    48.5
13        -86.249    2.20
14        -58.493    0.80   1.88300    40.8
15         32.833    0.68
16         40.947    2.30   1.89286    20.4
17         69.065    1.00
18(絞り)    ∞       2.59
19          ∞       4.00
20         23.899    4.75   1.43875    94.9
21        -33.661    0.20
22         40.134    5.10   1.51742    52.4
23        -20.670    1.10   1.83400    37.2
24       -130.409  (可変)
25        -39.228    2.77   1.49700    81.5
26        -18.284    1.35   1.91082    35.3
27         17.890    4.87   1.58313    59.4
28*      -365.789    6.04
29         87.686    4.74   1.84666    23.8
30        -76.634  (可変)
像面        ∞
非球面データ
第1面
K = 0.00000e+000  A 4= 1.81176e-005  A 6=-3.55029e-008  A 8= 2.95484e-011  A10=-9.56065e-015  A12= 1.94598e-018
第2面
K = 0.00000e+000  A 4= 1.28680e-005  A 6= 6.31262e-009  A 8=-1.01994e-010  A10=-9.04564e-014
第3面
K = 0.00000e+000  A 4=-1.44279e-006  A 6= 1.51279e-008  A 8=-3.09273e-011  A10=-9.66454e-016
第7面
K = 0.00000e+000  A 4=-4.39514e-006  A 6=-4.54286e-009  A 8=-5.51719e-012  A10=-1.03216e-014
第28面
K = 0.00000e+000  A 4= 6.54812e-006  A 6=-2.65364e-008  A 8= 9.32561e-011  A10=-2.10301e-012
各種データ
ズーム比      3.55
広角     中間     望遠
焦点距離      18.56    26.94    65.99
Fナンバー      3.57     4.18     5.85
半画角（度）  49.37    38.77    18.15
像高          21.64    21.64    21.64
レンズ全長   143.00   136.02   151.98
BF            17.62    27.26    62.21
d 6           41.82    23.98    -1.51
d24            2.07     3.30     9.80
d30           17.62    27.26    62.21
ズームレンズ群データ
群  始面    焦点距離
1    1     -24.41
2    7      27.96
3   25     -49.61
【００７２】
［数値実施例５］
単位 mm
面データ
面番号       r        d      nd         vd
1*       192.101    2.50   1.85400    40.4
2*        21.032   15.39
3*       -72.107    1.80   1.59522    67.7
4         57.779    1.25
5         74.187    4.50   1.85478    24.8
6       -221.842  (可変)
7*        25.572    3.70   1.76385    48.5
8        378.093    0.20
9         58.582    1.00   1.85478    24.8
10         29.715    2.10   1.56732    42.8
11         21.369    1.95
12         25.975    4.45   1.76385    48.5
13        -90.904    2.20
14        -58.493    0.80   1.88300    40.8
15         32.176    0.68
16         42.527    2.30   1.89286    20.4
17         69.327    1.00
18(絞り)    ∞       2.59
19          ∞       4.00
20         26.724    4.75   1.43875    94.9
21        -30.676    0.20
22         43.324    5.10   1.51742    52.4
23        -20.483    1.10   1.83400    37.2
24       -152.979  (可変)
25        -44.184    2.77   1.49700    81.5
26        -20.096    1.35   1.91082    35.3
27         15.726    4.87   1.58313    59.4
28*     -1222.087    6.96
29         87.686    4.74   1.84666    23.8
30        -76.634  (可変)
31        300.000    2.00   1.51633    64.1
32        999.000  (可変)
像面        ∞
非球面データ
第1面
K = 0.00000e+000  A 4= 1.81176e-005  A 6=-3.55029e-008  A 8= 2.95484e-011  A10=-9.56065e-015  A12= 1.94598e-018
第2面
K = 0.00000e+000  A 4= 1.28680e-005  A 6= 6.31262e-009  A 8=-1.01994e-010  A10=-9.04564e-014
第3面
K = 0.00000e+000  A 4=-1.44279e-006  A 6= 1.51279e-008  A 8=-3.09273e-011  A10=-9.66454e-016
第7面
K = 0.00000e+000  A 4=-4.39514e-006  A 6=-4.54286e-009  A 8=-5.51719e-012  A10=-1.03216e-014
第28面
K = 0.00000e+000  A 4=-4.54265e-006  A 6=-1.40322e-008  A 8=-5.04290e-010  A10=-2.10301e-012
各種データ
ズーム比      3.65
広角     中間     望遠
焦点距離      18.59    20.37    67.84
Fナンバー      3.57     4.18     5.85
半画角（度）  49.33    46.72    17.69
像高          21.64    21.64    21.64
レンズ全長   155.01   151.47   160.80
BF            10.00    10.00    10.00
d 6           49.36    43.55    -0.06
d24            2.92     3.28    11.27
d30            6.49     8.40    53.33
d32           10.00    10.00    10.00
ズームレンズ群データ
群  始面    焦点距離
1    1     -25.72
2    7      29.61
3   25     -50.99
4   31     829.58
【００７３】
【表１】
2019211513.tif 000003
【００７４】
次に、撮像装置の実施例について図１１を用いて説明する。図１１は、撮像装置１０の概略図である。撮像装置１０は、カメラ本体１３と、上述した実施例１乃至５のいずれかと同様であるズームレンズを含むレンズ装置１１と、ズームレンズによって形成される像を光電変換する受光素子（撮像素子）１２を備える。受光素子１２としては、ＣＣＤセンサやＣＭＯＳセンサ等の撮像素子を用いることができる。レンズ装置１１とカメラ本体１３は一体に構成されていても良いし、着脱可能に構成されていても良い。本実施例の撮像装置１０は、レンズ装置１１を有することによって、小型かつ軽量で、高い光学性能を有する。
【００７５】
さらに、撮像装置１０が、レンズ装置１１のズームレンズの光学特性に応じた補正データを用いて、撮像した画像に生じた歪曲収差を電気的に補正する機能を有することが好ましい。
【００７６】
なお、上述した各実施例のレンズ装置は、図１１に示したデジタルスチルカメラに限らず、放送用カメラ、銀塩フィルム用カメラ、監視用カメラ等の種々の撮像装置に適用することができる。
【符号の説明】
【００７７】
Ｌ１  第１レンズ群
Ｌ２  第２レンズ群
Ｌｒ  後群
ＬＮ  負の屈折力のレンズ群
ＳＰ  開口絞り
【図１】
2019211513.tif 000004
【図２】
2019211513.tif 000005
【図３】
2019211513.tif 000006
【図４】
2019211513.tif 000007
【図５】
2019211513.tif 000008
【図６】
2019211513.tif 000009
【図７】
2019211513.tif 000010
【図８】
2019211513.tif 000011
【図９】
2019211513.tif 000012
【図１０】
2019211513.tif 000013
【図１１】
2019211513.tif 000014